(57)【特許請求の範囲】
【請求項１】
フェムトセル基地局とマクロセル基地局との間でのユーザ端末との接続の転送のすぐ後にパケット・データ・プロトコル（ＰＤＰ）コンテキストを非アクティブにする方法であって、
前記フェムトセル基地局が、ＰＤＰコンテキストの第１の識別子を含むメッセージを受信するステップ（図３：ａ）、前記ＰＤＰコンテキストの前記識別子を第２の識別子へと変更するステップ、および前記変更されたメッセージをコア・ネットワークへと転送するステップと、
前記コア・ネットワークが、識別子を含むさらなるメッセージを受信するステップ、前記コア・ネットワークが、前記受信された識別子が前記コア・ネットワークが期待する前記識別子とマッチしないことを決定するステップ、および前記ＰＤＰコンテキストをしたがって非アクティブにするステップと
を備える方法。
【請求項２】
前記ＰＤＰコンテキストの前記第１の識別子は、前記のユーザ端末とフェムトセル基地局との間のメッセージングにおいて使用され、また前記ＰＤＰコンテキストの識別子である前記第２の識別子は、前記フェムトセル基地局とコア・ネットワークとの間のメッセージングにおいて使用され、前記方法は、
前記第１の識別子を含む接続転送要求メッセージである前記さらなるメッセージを前記マクロセル基地局から前記コア・ネットワークへと転送することにより、マクロセル基地局を経由して前記接続の転送を要求するステップ（図６：ｂ）と、
前記第２の識別子を期待する前記コア・ネットワークが、したがって前記ＰＤＰコンテキストを非アクティブにするステップと
を備える、請求項１に記載の方法。
【請求項３】
前記第２の識別子を含む接続転送要求メッセージである前記さらなるメッセージを前記コア・ネットワークに対して転送することにより、前記マクロセル基地局経由から前記フェムトセル基地局経由への前記接続の転送を要求するステップ（図７：ｂ）と、
前記第１の識別子を期待する前記コア・ネットワークが、したがって前記ＰＤＰコンテキストを非アクティブにするステップと
を備える、請求項１に記載の方法。
【請求項４】
前記第２の識別子は、ネットワーク・サービス・アクセス・ポイント識別子（ＮＳＡＰＩ）が無いことの表示である、請求項３に記載の方法。
【請求項５】
前記第１の識別子は、ＮＳＡＰＩ値であり、また前記第２の識別子は、異なるＮＳＡＰＩ値、またはＮＳＡＰＩが無いことの表示である、請求項１乃至４のいずれか１項に記載の方法。
【請求項６】
前記フェムトセル基地局は、前記第１の識別子の、前記第２の識別子に対するマッピングを記憶する、請求項１乃至５のいずれか１項に記載の方法。
【請求項７】
前記ユーザ端末は、前記第２の識別子を含むメッセージを受信するが、前記第１の識別子を受信することを期待し、したがって前記ＰＤＰコンテキストを非アクティブにもする、請求項１乃至６のいずれか１項に記載の方法。
【請求項８】
前記接続転送要求メッセージは、ルーティング・エリア・アップデート要求である、請求項１乃至７のいずれか１項に記載の方法。
【請求項９】
前記第２の識別子が、前記ユーザ端末によって識別子として使用するためにある値を要求されると、前記第１の識別子に関連する前記ＰＤＰコンテキストは、前記ユーザ端末による前記要求された使用のために前記第２の識別子の値を使用可能にするために非アクティブにされ、また前記ＰＤＰコンテキストは、その後に、異なる第２の識別子の値を用いて再びアクティブにされる、請求項１乃至８のいずれか１項に記載の方法。
【請求項１０】
前記フェムトセル基地局は、フェムト・ゲートウェイによって制御され、また前記フェムト・ゲートウェイは、前記識別子を変更するステップを制御する、請求項１乃至９のいずれか１項に記載の方法。
【請求項１１】
フェムトセル基地局のクラスタの中の別のフェムトセル基地局の再選択のすぐ後に、前記別のフェムトセル基地局は、前記コア・ネットワークに対するメッセージにおいて使用するために前記第２の識別子について通知される、請求項１０に記載の方法。
【請求項１２】
前記第２の識別子は、選択されたアクセス・ポイント名（ＡＰＮ）を有するＰＤＰコンテキストについてだけ使用される、請求項１乃至１１のいずれか１項に記載の方法。
【請求項１３】
フェムトセル基地局と、マクロセル基地局と、コア・ネットワークとを備える電気通信ネットワークであって、前記フェムト基地局は、ＰＤＰコンテキストの第１の識別子を含むメッセージを受信し、ＰＤＰコンテキストの前記識別子を第２の識別子へと変更し、また前記変更されたメッセージを前記コア・ネットワークへと転送するように構成されており、前記コア・ネットワークは、そのような識別子を含むメッセージを受信し、前記受信された識別子が、前記コア・ネットワークが期待する前記識別子とマッチしないことを決定し、前記ＰＤＰコンテキストをしたがって非アクティブにするように構成されている、電気通信ネットワーク。
【請求項１４】
前記ＰＤＰコンテキストの前記第１の識別子は、ユーザ端末とフェムトセル基地局との間のメッセージングにおいて使用され、また前記第２の識別子は、前記のフェムトセル基地局とコア・ネットワークとの間のメッセージングにおいて前記ＰＤＰコンテキストの前記識別子として使用され、前記ユーザ端末は、マクロセル基地局を経由して前記接続の転送を要求するように構成されており、また前記マクロセル基地局は、前記第１の識別子を含む前記要求メッセージを前記コア・ネットワークに対して転送するように構成されており、
前記コア・ネットワークは、前記第２の識別子を期待し、したがって前記ＰＤＰコンテキストを非アクティブにすることで前記第１の識別子に応答するように構成されている、請求項１３に記載の電気通信ネットワーク。
【請求項１５】
前記マクロセル基地局経由から前記フェムトセル基地局経由への前記接続の転送を要求するように構成された前記ユーザ端末を備え、
前記フェムトセル基地局は、前記第２の識別子を含む前記要求メッセージを前記コア・ネットワークに対して転送するように構成されており、
前記コア・ネットワークは、前記第１の識別子を期待し、したがって前記ＰＤＰコンテキストを非アクティブにすることで前記第２の識別子の受信に応答するように構成されている、請求項１３に記載の電気通信ネットワーク。
【発明の詳細な説明】
【技術分野】
【０００１】
本発明は、電気通信に関し、詳細にはワイヤレス電気通信に関する。
【背景技術】
【０００２】
ワイヤレス電気通信システムが、よく知られている。多数のそのようなシステムは、無線カバレッジが、複数のセルとして知られているひとまとまりの無線カバレッジ・エリアによって提供されるという点において、セルラー方式である。無線カバレッジを提供する基地局が、各セルの中に位置している。伝統的な基地局は、比較的大きな地理的地域においてカバレッジを提供し、また対応するセルは、多くの場合に、マクロセル（ｍａｃｒｏｃｅｌｌｓ）と称される。
【０００３】
マクロセルの内部により小さなサイズのセルを確立することが、可能である。マクロセルよりも小さなセルは、時として、マイクロセル（ｍｉｃｒｏｃｅｌｌｓ）、ピコセル（ｐｉｃｏｃｅｌｌｓ）、またはフェムトセル（ｆｅｍｔｏｃｅｌｌｓ）と称されることもあるが、本発明者等は、マクロセルよりも小さなセルについて、総称的にフェムトセルという用語を使用する。フェムトセルを確立する１つのやり方は、マクロセルのカバレッジ・エリアの内部の比較的限られた範囲の内部で動作するフェムトセル基地局を提供することである。フェムトセル基地局の使用の一例は、建物の内部にワイヤレス通信カバレッジを提供することである。
【０００４】
フェムトセル基地局は、比較的低送信パワーのものであり、またそれゆえに各フェムトセルは、マクロセルに比べて小さなカバレッジ・エリアのものである。
【０００５】
フェムトセル基地局は、主として、特定の家またはオフィスに属するユーザを対象としている。フェムトセル基地局は、個人的なアクセス、または公共的なアクセスのものとすることができる。個人的なアクセスのものであるフェムトセル基地局においては、アクセスは、登録されたユーザだけに、例えば、家族メンバ、または特定のグループの従業員だけに限定される。公共的なアクセスのものであるフェムトセル基地局においては、他のユーザもまた、登録されたユーザによって受け取られるサービス品質（Ｑｕａｌｉｔｙ  ｏｆ  Ｓｅｒｖｉｃｅ）を保護するある種の制限を受けて、フェムトセル基地局を使用することもできる。
【０００６】
１つの知られているタイプのフェムトセル基地局は、ブロードバンド・インターネット・プロトコル接続を「バックホール（ｂａｃｋｈａｕｌ）」として、すなわちコア・ネットワークに接続するために使用する。１つのタイプのブロードバンド・インターネット・プロトコル接続は、デジタル加入者回線（Ｄｉｇｉｔａｌ  Ｓｕｂｓｃｒｉｂｅｒ  Ｌｉｎｅ）（ＤＳＬ）である。ＤＳＬは、フェムトセル基地局のＤＳＬトランスミッタ・レシーバ（「トランシーバ（ｔｒａｎｓｃｅｉｖｅｒ）」）をコア・ネットワークに接続する。ＤＳＬにより、フェムトセル基地局を経由して提供される音声コールおよび他のサービスが、サポートされることが可能になる。フェムトセル基地局はまた、無線通信のための、アンテナに接続された無線周波数（ｒａｄｉｏ  ｆｒｅｑｕｅｎｃｙ）（ＲＦ）トランシーバを含んでいる。
【０００７】
フェムトセル基地局は、時として、フェムト（ｆｅｍｔｏｓ）と称される。
【０００８】
フェムトは、それらが一般的に数十メートルの範囲を有するので、工場やオフィスなどの居住環境またはビジネス環境のために適した低パワーのユーザ展開された基地局である。それらは、多くの場合にプラグ・アンド・プレイ展開として知られている、ユーザによる簡単な最適化されない展開を可能とするための自動構成機能および自己最適化機能を有する。フェムトは、それら自体をマクロセル基地局の既存のネットワークへと自動的に統合する。
【０００９】
ユーザ端末が、マクロセルラー・ネットワークに接続されたパケット交換セッションを有すると仮定すると、そのセッションが、フェムトとの接続へと移動するときに、関連するパケット・データ・プロトコル（Ｐａｃｋｅｔ  Ｄａｔａ  Ｐｒｏｔｏｃｏｌ）（ＰＤＰ）コンテキストは、ネットワークのこの変化を示すために、例えば、ネットワークが、差別化された課金をサポートすることを、また新しい適用可能な課金料金表についてユーザ端末に通知することを可能にするために、非アクティブにされる必要がある。ユーザ端末が、マクロセルラー・ネットワークとの接続に移動する、フェムトに接続されたパケット交換セッションを有するときに、同じことが、当てはまる。１つの理由は、ユーザ端末が、フェムトに接続されるときと、ユーザ端末が、その代わりにマクロセルに接続されるときとの間の異なる課金を提供することである。そのようなＰＤＰコンテキストの非アクティブ化についての別の理由は、フェムトが、マクロセルの上でもはや機能しないことになるＰＤＰコンテキストの何らかの操作を実行しているときに、ＰＤＰコンテキストの非アクティブ化は、ユーザ端末が、次いでマクロセルを経由した接続において使用可能な新たなＰＤＰコンテキストを用いて再びアクティブになることを可能にするからである。
【００１０】
１つの知られているアプローチは、ＧＰＲＳが汎用パケット無線サービス（Ｇｅｎｅｒａｌ  Ｐａｃｋｅｔ  Ｒａｄｉｏ  Ｓｅｒｖｉｃｅ）を示す場合に、サービングＧＰＲＳサポート・ノード（Ｓｅｒｖｉｎｇ  ＧＰＲＳ  Ｓｕｐｐｏｒｔ  Ｎｏｄｅ）（ＳＧＳＮ）において解決法を実装することであり、その結果、ＳＧＳＮが、ユーザ端末との接続がフェムトからマクロセルラー・ネットワークへと移動することを検出するとすぐに、次いでＰＤＰコンテキストは、非アクティブにされる。別の知られているアプローチは、マクロセルラー・ネットワークにおける無線ネットワーク制御装置（Ｒａｄｉｏ  Ｎｅｔｗｏｒｋ  Ｃｏｎｔｒｏｌｌｅｒ）（ＲＮＣ）が、ＰＤＰコンテキストの非アクティブ化を制御することである。これらのアプローチは両方とも、複雑であり、またマクロセルラー・ネットワークにおける変更を必要とする。
【先行技術文献】
【非特許文献】
【００１１】
【非特許文献１】３ＧＰＰ  Ｔｅｃｈｎｉｃａｌ  Ｓｐｅｃｉｆｉｃａｔｉｏｎ  ２４−００８  Ｖｅｒｓｉｏｎ  ５．１６．０  （２００６−０６）
【発明の概要】
【課題を解決するための手段】
【００１２】
読者は、添付の独立請求項を紹介される。いくつかの好ましい特徴は、従属請求項の中で明らかにされる。
【００１３】
本発明の一例は、フェムトセル基地局とマクロセル基地局との間でのユーザ端末との接続の転送のすぐ後にＰＤＰコンテキストを非アクティブにする一方法であり、本方法は、フェムトセル基地局が、ＰＤＰコンテキストの第１の識別子を含むメッセージを受信するステップ、ＰＤＰコンテキストのその識別子を第２の識別子へと変更するステップ、およびその変更されたメッセージをコア・ネットワークへと転送するステップと；コア・ネットワークが、識別子を含むさらなるメッセージを受信するステップ、コア・ネットワークが、その受信された識別子がコア・ネットワークが期待する識別子とマッチしないことを決定するステップ、およびＰＤＰコンテキストをしたがって非アクティブにするステップとを備える。
【００１４】
いくつかの好ましい実施形態は、例えば、マクロセル基地局からフェムトセル基地局への転送のすぐ後にＰＤＰコンテキストの非アクティブ化を提供し、それゆえにコア・ネットワークが、差別化された課金を、例えば、コールがフェムトを経由しているときに、そのようにしてより低い料金表で課金され得るように識別すべき能力をサポートすることを可能にする。より一般的には、フェムトセル基地局は、ＰＤＰコンテキストにリンクされたユーザ端末にサービスを提供することができ、またそのようなサービスは、ユーザ端末がマクロセルに接続されている間には機能しないことになる。タイムリーに、ＰＤＰコンテキストの非アクティブ化は、ユーザ端末がフェムトに再接続するとすぐに、ＰＤＰコンテキストの再アクティブ化と、それゆえに、継続されたサービスの提供とを可能にする。マクロセル基地局への接続のすぐ後に、迅速なＰＤＰコンテキストの非アクティブ化は、サービスが、マクロセルラー・ネットワークだけを経由して再確立されることを可能にする。
【００１５】
好ましい実施形態は、実質的な変更が、マクロセルラー・ネットワークまたはＳＧＳＮに対して必要とされないように、簡単に実装することである。
【００１６】
本発明の実施形態は、次に、例として、また図面を参照して説明されることになる。
【図面の簡単な説明】
【００１７】
【図１】本発明の第１の実施形態によるワイヤレス通信ネットワークを示す図である。
【図２】図１に示される１つのマクロセルの内部の一例のフェムトセル基地局の展開を示す図である。
【図３】アクティベートＰＤＰコンテキスト要求／受入プロシージャ中のフェムトによるネットワーク・サービス・アクセス・ポイント識別子（Ｎｅｔｗｏｒｋ  Ｓｅｒｖｉｃｅ  Ａｃｃｅｓｓ  Ｐｏｉｎｔ  Ｉｄｅｎｔｉｆｉｅｒ）（ＮＳＡＰＩ）変換を例証するメッセージ・シーケンス図である。
【図４】サービス要求／受入プロシージャ中のフェムトによるＮＳＡＰＩ変換を例証するメッセージ・シーケンス図である。
【図５】ルーティング・エリア・アップデート要求／受入プロシージャ中のフェムトによるＮＳＡＰＩ変換を例証するメッセージ・シーケンス図である。
【図６】フェムトセルからマクロセルへのセル再選択のすぐ後に期待されたＮＳＡＰＩと受信されたＮＳＡＰＩとの間のミスマッチが、どのようにしてＰＤＰコンテキストの非アクティブ化を引き起こすかを例証するメッセージ・シーケンス図である。
【図７】マクロセルからフェムトセルへのセル再選択のすぐ後に期待されたＮＳＡＰＩと受信されたＮＳＡＰＩとの間のミスマッチが、どのようにしてＰＤＰコンテキストの非アクティブ化を引き起こすかを例証するメッセージ・シーケンス図である。
【図８】ＮＳＡＰＩ値が、ＳＧＳＮに対するＰＤＰコンテキストを識別するためにフェムトによって使用されているが、別のユーザ端末によって使用するために要求されるときに、どのようにしてＰＤＰコンテキストが、新しいＮＳＡＰＩ値を用いて再びアクティブにされるかを例証するメッセージ・シーケンス図である。
【発明を実施するための形態】
【００１８】
図３から８において、様々なステップは、ステップａ、ステップｂなどと示されている。ステップａなどと示されるすべてのステップは、説明される例全体を通して同一であることが仮定されるべきではなく、言い換えれば、それらは、関連のある図に関して例に特有のものであることが意図される。
【００１９】
本発明者等は、図１および２を参照して、フェムトセル基地局を含むネットワークについて説明することになる。その後、本発明者等は、図３から５を参照して、どのようにしてフェムトがＮＳＡＰＩ値を変換するかを考える。次いで、本発明者等は、図６および７を参照することにより、どのようにしてＳＧＳＮにおいて見られるＮＳＡＰＩのミスマッチが、ＰＤＰコンテキストの非アクティブ化をトリガするかを説明し続けることになる。その後に、図８を参照して、本発明者等は、ＮＳＡＰＩ値が、ＳＧＳＮに対する第１のＰＤＰコンテキストを識別するためにフェムトにより使用されているが、さらなるＰＤＰコンテキストについて同じユーザ端末によって使用するために要求されるときに、どのようにして第１のＰＤＰコンテキストが、新しいＮＳＡＰＩ値を用いて再びアクティブにされるかを考える。
【００２０】
ネットワーク
図１および２において示されるように、それを通してユーザ端末３４がローミングすることができる、ワイヤレス通信のためのネットワーク１０は、２つのタイプの基地局、すなわち、マクロセル基地局と、フェムトセル基地局とを含んでいる（後者は、時として「フェムト」と呼ばれる）。簡単にするために、１つのマクロセル基地局２２が、図１および２において示されている。各マクロセル基地局は、多くの場合にマクロセルと称される無線カバレッジ・エリア２４を有する。マクロセル２４の地理的範囲は、マクロセル基地局２２の能力と、周囲の地形とに依存する。
【００２１】
マクロセル２４の内部において、各フェムトセル基地局３０は、対応するフェムトセル３２の内部のワイヤレス通信を提供する。フェムトセルは、無線カバレッジ・エリアである。フェムトセル３２の無線カバレッジ・エリアは、マクロセル２４の無線カバレッジ・エリアよりもずっと小さい。例えば、フェムトセル３２は、ユーザのオフィスまたは家にサイズにおいて対応する。
【００２２】
図１に示されるように、ネットワーク１０は、無線ネットワーク制御装置、ＲＮＣ、１７０によって管理される。無線ネットワーク制御装置、ＲＮＣ、１７０は、例えば、バックホール通信リンク１６０を経由してマクロセル基地局２２と通信することにより、オペレーションを制御する。無線ネットワーク制御装置１７０は、基地局によってサポートされる複数のセルの間の地理的関係についての情報を含む近隣リストを保持する。さらに、無線ネットワーク制御装置１７０は、ワイヤレス通信システム１０の内部のユーザ装置のロケーションについての情報を提供するロケーション情報を保持する。無線ネットワーク制御装置１７０は、回路交換網およびパケット交換網を経由してトラフィックをルーティングするように動作可能である。回路交換トラフィックでは、無線ネットワーク制御装置１７０が通信することができる相手のモバイル交換センタ２５０が、設けられる。モバイル交換センタ２５０は、公衆交換電話網（ｐｕｂｌｉｃ  ｓｗｉｔｃｈｅｄ  ｔｅｌｅｐｈｏｎｅ  ｎｅｔｗｏｒｋ）（ＰＳＴＮ）２１０などの回路交換網と通信する。パケット交換トラフィックでは、ネットワーク制御装置１７０は、サービング汎用パケット無線サービス・サポート・ノード（Ｓｅｒｖｉｎｇ  Ｇｅｎｅｒａｌ  ｐａｃｋｅｔ  ｒａｄｉｏ  ｓｅｒｖｉｃｅ  Ｓｕｐｐｏｒｔ  Ｎｏｄｅｓ）（ＳＧＳＮ）２２０と、ゲートウェイ汎用パケット無線サポート・ノード（Ｇａｔｅｗａｙ  Ｇｅｎｅｒａｌ  ｐａｃｋｅｔ  ｒａｄｉｏ  Ｓｕｐｐｏｒｔ  Ｎｏｄｅ）（ＧＧＳＮ）１８０と通信する。次いで、ＧＧＳＮは、例えば、インターネットなどのパケット交換コア（ｐａｃｋｅｔ−ｓｗｉｔｃｈ  ｃｏｒｅ）１９０と通信する。
【００２３】
ＭＳＣ２５０と、ＳＧＳＮ２２０と、ＧＧＳＮ１８０と、オペレータＩＰネットワークとは、いわゆるコア・ネットワーク２５３を構成する。ＳＧＳＮ２２０と、ＧＧＳＮ１８０とは、オペレータＩＰネットワーク２１５によってフェムトセル制御装置／ゲートウェイ２３０に接続される。
【００２４】
フェムトセル制御装置／ゲートウェイ２３０は、インターネット１９０を経由してフェムトセル基地局３０に接続される。フェムトセル制御装置／ゲートウェイ２３０に対するこれらの接続は、ブロードバンド・インターネット・プロトコル接続（「バックホール」）接続である。フェムトセル制御装置／ゲートウェイは、多くの場合に、フェムト・ゲートウェイ（ｆｅｍｔｏ−ｇａｔｅｗａｙ）と称される。
【００２５】
フェムト・ゲートウェイ２３０と、フェムトセル基地局３０とは、フェムト・ネットワーク３７を構成する。
【００２６】
コア・ネットワーク２５３と、ＲＮＣ１７０と、マクロセル基地局２２とは、マクロセルラー・ネットワークを構成する。
【００２７】
図２においては、３つのフェムトセル基地局３０と、対応するフェムトセル３２とが、簡単にするために示されている。
【００２８】
マクロセル２４の内部のモバイル端末３４が、知られている方法で、マクロセル基地局２２と通信することが可能である。モバイル端末３４が、モバイル端末がフェムトセル基地局３０の内部で通信するために登録されるフェムトセル３２の中に入るときに、モバイル端末との接続をマクロセルからフェムトセルへとハンドオーバーすることが望ましい。図２に示される例においては、モバイル端末３４のユーザは、フェムトセル３２のうちの最も近いもの３２’の好ましいユーザである。
【００２９】
図２に示されるように、フェムトセル基地局３０は、ブロードバンド・インターネット・プロトコル接続（「バックホール」）３６を経由してコア・ネットワーク（図２においては示されず）と、それゆえに電気通信「世界」の残り（図２においては示されず）とに接続されている。「バックホール」接続３６は、コア・ネットワーク（図示されず）を通してフェムトセル基地局３０の間の通信を可能にする。マクロセル基地局もまた、コア・ネットワーク（図２においては示されず）に接続される。
【００３０】
フェムトによるＮＳＡＰＩ値の変換
非アクセス階層（Ｎｏｎ  Ａｃｃｅｓｓ  Ｓｔｒａｔｕｍ）（ＮＡＳ）信号方式は、ユーザ端末（ＵＥ）と、コア・ネットワークとの間の信号方式についての３ＧＰＰ  Ｔｅｃｈｎｉｃａｌ  Ｓｐｅｃｉｆｉｃａｔｉｏｎ  ２４−００８  Ｖｅｒｓｉｏｎ  ５．１６．０  （２００６−０６）の中で定義されるＮＡＳプロトコルに従う信号方式である。ＮＡＳ信号方式は、移動性管理と、接続管理と、コール制御と、パケット・データ・プロトコル（Ｐａｃｋｅｔ  Ｄａｔａ  Ｐｒｏｔｏｃｏｌ）（ＰＤＰ）コンテキスト制御を含むセッション管理とのために使用される。
【００３１】
ＰＤＰコンテキストは、ユーザ端末がアクティブなデータ・セッションを有するときにユーザ端末のセッション情報を含むサービング・ゲートウェイ・サポート・ノード（Ｓｅｒｖｉｎｇ  Ｇａｔｅｗａｙ  Ｓｕｐｐｏｒｔ  Ｎｏｄｅ）（ＳＧＳＮ）の中に存在するデータ構造である。データは、ユーザ端末のＩＰアドレスと、ネットワーク（レイヤ）サービス・アクセス・ポイント識別子（ＮＳＡＰＩ）とを含んでいる。ＮＳＡＰＩは、ＰＤＰコンテキストのアクティブ化中にユーザ端末によって選択される５と１５との間の値を有するＰＤＰコンテキストの識別子である。ユーザ端末は、様々なＩＰトンネルを通してパケット・データを転送する複数の同時にアクティブなＰＤＰコンテキストを有することができる。
【００３２】
適用可能なフェムト３０は、ユーザ端末３４と、ＳＧＳＮ２２０との間のＮＡＳ信号の一部分を傍受し、変換し、またユーザ端末が、フェムト・ネットワーク３７において接続されたままになっている間、この変換を保持する。このようにして、ユーザ端末と、ＳＧＳＮとの間の後続の任意のメッセージは、エンド・ツー・エンド・インターネット・プロトコル（ＩＰ）トンネル・インテグリティを有するように見える。
【００３３】
したがって、ユーザ端末が、マクロセルに対して再選択し、またユーザ端末が、ルーティング・エリアのアップデートを実行するときに、フェムト・ネットワークの中で起こる以前の変換は、期待される値と比べて受信されたＮＳＡＰＩ値との間のミスマッチをもたらし、これは、ＰＤＰコンテキストが、シャットダウンされるようにする。これは、以下でより詳細に説明される。
【００３４】
電気通信規格、すなわち３ＧＰＰ  Ｔｅｃｈｎｉｃａｌ  Ｓｐｅｃｉｆｉｃａｔｉｏｎ  ２４−００８  Ｖｅｒｓｉｏｎ  ５．１６．０  （２００６−０６）は、各ＰＤＰコンテキストが、異なるＮＳＡＰＩ値に関連づけられることを必要とし、ここでＮＳＡＰＩは、範囲５から１５の整数値である。フェムト・ネットワーク３７、この例においてより具体的に、フェムト３０は、フェムト・ネットワークを経由してユーザ端末と、ＳＧＳＮとの間のメッセージの中でＮＳＡＰＩ値の発生ごとに変換する。これは、以下で図３、４および５を参照することにより示される。
【００３５】
（ａ）アクティベートＰＤＰコンテキスト中のＮＳＡＰＩのフェムト変換
図３において示されるように、アクティベートＰＤＰコンテキスト要求（Ａｃｔｉｖａｔｅ  ＰＤＰ  Ｃｏｎｔｅｘｔ  Ｒｅｑｕｅｓｔ）は、ユーザ端末３４からフェムト３０へと送信される（ステップａ）。アクティベートＰＤＰコンテキスト要求は、５というＮＳＡＰＩ値と、アクセス・ポイント名（Ａｃｃｅｓｓ  Ｐｏｉｎｔ  Ｎａｍｅ）（ＡＰＮ）とを含むＮＡＳメッセージである。ＡＰＮは、サービスが、ＧＧＳＮから接続されるべきＩＰパケット・データ・ネットワーク（ｐａｃｋｅｔ  ｄａｔａ  ｎｅｔｗｏｒｋ）（ＰＤＮ）を識別する。フェムトは、要求の中のＮＳＡＰＩ値を１５へと変換し（ステップｂ）、またこの修正された要求をＳＧＳＮ２２０へと転送する（ステップｃ）。ＳＧＳＮは、１５という受信されたＮＳＡＰＩに関連するユーザ端末を識別する国際モバイル加入者アイデンティティ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）（ＩＭＳＩ）を記憶し、また１５という無線アクセス・ベアラ・アイデンティティ（Ｒａｄｉｏ  Ａｃｃｅｓｓ  Ｂｅａｒｅｒ  ｉｄｅｎｔｉｔｙ）（ＲＡＢ  ＩＤ）を有する無線アクセス・ベアラ（ＲＡＢ）割当要求を用いて応答する（ステップｄ）。フェムトは、ＲＡＢ  ＩＤを５に（元の要求メッセージの中で受信される値とマッチさせるために）変換し、また無線ベアラ・セットアップ（ＲＡＢ  ＩＤ＝５）メッセージをユーザ端末に対して送信する（ステップｅ）。次いで、ＳＧＳＮは、アクティベートＰＤＰコンテキスト受入メッセージをフェムトに対して送信し（ステップｆ）、このフェムトは、そのメッセージをユーザ端末に対して転送する（ステップｇ）。
【００３６】
ＲＡＢ  ＩＤと、ＮＳＡＰＩとは、同じ値（単数または複数）を有し、またこの例においては、フェムトは、値５のＮＳＡＰＩ／ＲＡＢ  ＩＤをユーザ端末からＳＧＳＮに向かって値１５へと変換し、逆もまた同様である。フェムトはまた、ユーザ端末のＩＭＳＩを記憶する。
【００３７】
（ｂ）サービス要求中のＮＳＡＰＩのフェムト変換
サービス要求は、アイドル・モードからアクティブ・モードへと進むべき要求であり、したがって無線リソースを割り付ける。そのような要求は、一般的にＰＤＰコンテキスト中に何度も起きる。
【００３８】
図４に示されるように、サービス要求は、ユーザ端末からフェムトへと送信される（ステップａ）。サービス要求は、サービス要求についての理由の表示（この例におけるデータ）と、５というＮＳＡＰＩ値とを含む。
【００３９】
フェムトは、ＮＳＡＰＩ値を１５へと変換して（ステップｂ）から、その修正されたサービス要求をＳＧＳＮへと転送する（ステップｃ）。ＳＧＳＮは、１５というＲＡＢ  ＩＤを含むＲＡＢ割当要求を用いてフェムトに対して応答する（ステップｄ）。１５というＲＡＢ  ＩＤは、フェムトによって５へと変換され、またフェムトからユーザ端末へと送信される（ステップｅ）無線ベアラ・セットアップ・メッセージの中に含められる。
【００４０】
ＲＡＢ  ＩＤと、ＮＳＡＰＩとは、正確な１：１マッピングにおいて、同一の値をとる。フェムトは、ＳＧＳＮからの各ＲＡＢ割当メッセージの中のＲＡＢ  ＩＤをユーザ端末に送信されるべき無線ベアラ・セットアップ・メッセージの中の対応するＲＡＢ  ＩＤへと変換する。
【００４１】
（ｃ）ルーティング・エリア・アップデート（Ｒｏｕｔｉｎｇ  Ａｒｅａ  Ｕｐｄａｔｅ）（ＲＡＵ）中のＮＳＡＰＩのフェムト変換
図５において示されるように、ユーザ端末は、ルーティング・エリア・アップデート（ＲＡＵ）要求メッセージをフェムトに対して定期的に送信する（ステップａ）。メッセージは、５というＮＳＡＰＩを含んでいる。フェムトは、ＮＳＡＰＩ値を１５へと変換し（ステップｂ）、またその修正されたメッセージをＳＧＳＮへと転送する（ステップｃ）。ＳＧＳＮは、１５というＮＳＡＰＩ値を含むＲＡＵ受入メッセージを用いて応答する（ステップｄ）。フェムトは、ＮＳＡＰＩ値を５へと変換し、またその修正されたＲＡＵ受入メッセージをユーザ端末へと送信する（ステップｅ）。
【００４２】
アクティブにされたＰＤＰコンテキスト・オペレーション
上記で説明されたＮＳＡＰＩ変換を用いて、ユーザ端末が、フェムトに接続される間に、ＰＤＰコンテキストは、アクティブにされ、また通常のデータ転送が、起こることになる。ＰＤＰコンテキストが保持される間に、例えば、ユーザ端末がアイドル・モードにある間にＳＧＳＮの中で保持される間に、ユーザ端末は、非アクティブなアイドル・モードと、アクティブな接続モードとの間で移動することができる。
【００４３】
ユーザ端末接続が、フェムトからマクロセルラー・ネットワークへと移動するときに、すなわちセル再選択において、フェムトは、通知されず、したがってフェムト・ネットワークは、この再選択について知らない。
【００４４】
マクロセルの再選択のすぐ後のＰＤＰコンテキストの非アクティブ化
図６において示されるように、ユーザ端末が、マクロセル基地局に接続するときに、ユーザ端末は、ルーティング・エリア・アップデート要求を無線ネットワーク制御装置１７０へと送信する（ステップａ）。この要求は、ロケーション情報と、５というＮＳＡＰＩ値とを含んでいる。ＲＮＣは、ＮＳＡＰＩ値を変換してはいないが、単に、５というＮＳＡＰＩ値を含む受信されたＲＡＵ要求をＳＧＳＮに対して転送するにすぎない。その結果、ＳＧＳＮは、５という受信されたＮＳＡＰＩ値と、ＰＤＰコンテキストがアクティブにされたときにＳＧＳＮが期待する１５というＮＳＡＰＩ値との間のミスマッチを検出する。
【００４５】
結果として、３ＧＰＰ  Ｔｅｃｈｎｉｃａｌ  Ｓｐｅｃｉｆｉｃａｔｉｏｎ  ２４−００８  Ｖｅｒｓｉｏｎ  ５．１６．０  （２００６−０６）に従って、ＳＧＳＮは、ＰＤＰコンテキストを非アクティブにする（ステップｃ）。
【００４６】
さらに、ＳＧＳＮは、アクティブなＮＳＡＰＩ値が示されていないＲＡＵ受入メッセージを送信する（ステップｄ）。ＲＮＣは、このメッセージを転送する（ステップｅ）。このメッセージを受信するとすぐに、ユーザ端末はまた、３ＧＰＰ  Ｔｅｃｈｎｉｃａｌ  Ｓｐｅｃｉｆｉｃａｔｉｏｎ  ２４−００８  Ｖｅｒｓｉｏｎ  ５．１６．０  （２００６−０６）のその関連のあるセクション４．７．５．１．３に応じてそのＰＤＰコンテキストを非アクティブにする。３ＧＰＰ  Ｔｅｃｈｎｉｃａｌ  Ｓｐｅｃｉｆｉｃａｔｉｏｎ  ２４−００８  Ｖｅｒｓｉｏｎ  ５．１６．０  （２００６−０６）の関連のある部分は、次のように述べている。
「４．７．５．１．３  ネットワークによって受け入れられる通常の、また定期的なルーティング・エリア・アップデート・プロシージャ
・・・・・・・・・・
ＰＤＰコンテキスト・ステータス情報要素が、ルーティング・エリア・アップデート要求メッセージの中に含まれる場合、そのときにはネットワークは、すべてのこれらのＰＤＰコンテキストを（ＭＳとネットワークとの間のピア・ツー・ピア信号なしに）ローカルに非アクティブにしなければならず、これは、ネットワーク側でＳＭ状態のＰＤＰ−非アクティブではないが、ＭＳにより、状態のＰＤＰ−非アクティブであるものとして示される。
・・・・・・・・・・
ＰＤＰコンテキスト・ステータス情報要素が、ルーティング・エリア・アップデート受入メッセージの中に含まれる場合、そのときにはＭＳは、すべてのこれらのＰＤＰコンテキストを（ＭＳとネットワークとの間のピア・ツー・ピア信号なしに）ローカルに非アクティブにしなければならず、これは、ＭＳにおいてＳＭ状態のＰＤＰ−非アクティブではないが、ネットワークにより、状態のＰＤＰ−非アクティブであるものとして示される。」
【００４７】
上記で説明されるように、フェムトは、ＰＤＰコンテキストの非アクティブ化が、ユーザ端末がマクロセル基地局を再選択するときに、実行されることを保証する。ユーザ端末は、その後に、ＰＤＰコンテキストを再びアクティブにして、マクロセル基地局を経由したデータ転送を継続する。この非アクティブ化／再アクティブ化は、フェムトの料金表における課金とは対照的に、マクロセルラー・ネットワークの料金表において課金するための、またユーザ端末にこの変更について通知するためのトリガである。
【００４８】
マクロセルからフェムトへの再選択のすぐ後のＰＤＰコンテキストの非アクティブ化
フェムトはまた、マクロセル基地局に接続されたユーザ端末が、フェムトを再選択するとすぐに、ＰＤＰコンテキストを非アクティブにする。
【００４９】
図７に示されるように、ユーザ端末は、それがマクロセル基地局からフェムトを再選択するときに、ルーティング・エリア・アップデート（ＲＡＵ）要求をフェムトに対して送信する（ステップａ）。その要求は、この例においては、ロケーション識別子と、５という値のＮＳＡＰＩとを含んでいる。
【００５０】
フェムトは、ＮＳＡＰＩ値を取り除き、次いでその修正されたＲＡＵ要求をＳＧＳＮに対して転送する（ステップｂ）。これは、破損、またはＮＳＡＰＩ値の変換と考えられ得る。ＳＧＳＮは、５というＮＳＡＰＩ値を期待するが、何も見ず、したがってこのミスマッチの結果として、ＰＤＰコンテキストを非アクティブにする（ステップｃ）。
【００５１】
さらに、ＳＧＳＮは、アクティブなＮＳＡＰＩ値が示されていないＲＡＵ受入メッセージを送信する（ステップｄ）。フェムトは、このメッセージを転送する（ステップｅ）。このメッセージを受信するとすぐに、ユーザ端末はまた、３ＧＰＰ  Ｔｅｃｈｎｉｃａｌ  Ｓｐｅｃｉｆｉｃａｔｉｏｎ  ２４−００８  Ｖｅｒｓｉｏｎ  ５．１６．０  （２００６−０６）のセクション４．７．５．１．３に従ってそのＰＤＰコンテキストを非アクティブにする（ステップｆ）。
【００５２】
ＮＳＡＰＩ「クラッシュ（ｃｌａｓｈ）」の場合におけるＰＤＰコンテキストの非アクティブ化、および新しいＮＳＡＰＩ値を用いた再アクティブ化
フェムトが、ＮＳＡＰＩをユーザ端末が次いで別のＰＤＰコンテキストにおいて要求する値へと変換する場合、フェムトは、その変換に関与する既存のＰＤＰコンテキストを非アクティブにし、またＰＤＰコンテキストが再びアクティブにされることを要求する。一例が、図８に示されている。
【００５３】
図８に示されるように、ユーザ端末は、まず第１に、５というＮＳＡＰＩ値、および第１のアクセス・ポイント名、ならびに第１のトランザクション識別子（Ｔｒａｎｓａｃｔｉｏｎ  Ｉｄｅｎｔｉｆｉｅｒ）（ＴＩ）を含むアクティベートＰＤＰコンテキスト要求をフェムトに対して送信する（ステップａ）。フェムトは、ＴＩとＩＭＳＩ（これは、以前の接続確立プロシージャ（図示されず）から知られている）とを記憶し、ＮＳＡＰＩを５から１５へと変換し（ステップｂ）、またその修正されたアクティベートＰＤＰコンテキスト要求をＳＧＳＮへと転送する（ステップｃ）。ＳＧＳＮは、ＮＳＡＰＩ値、すなわち１５に等しい無線アクセス・ベアラ・アイデンティティ（ＲＡＢ  ＩＤ）を含む無線アクセス・ベアラ（ＲＡＢ）割当要求を用いて応答する。フェムトは、５という変換されたＮＳＡＰＩ値に等しいＲＡＢ  ＩＤを含む無線ベアラ・セットアップ・メッセージを転送すること（ステップｅ）により応答する。次いで、ＳＧＳＮは、アクティベートＰＤＰコンテキスト受入メッセージをフェムトに対して送信し（ステップｆ）、フェムトは、このアクティベートＰＤＰコンテキスト受入メッセージをユーザ端末に対して転送する（ステップｇ）。
【００５４】
その後に、例えば、異なるアクセス・ポイント・ネットワークを必要とする新しいサービスが必要とされるので、さらなるＰＤＰコンテキストが、ユーザ端末により望まれ、したがって、ユーザ端末は、偶然発生した１５というＮＳＡＰＩ（に加えて第２のアクセス・ポイント名（ＡＰＮ２）および第２のトランザクション識別子（ＴＩ２））を含むアクティベートＰＤＰコンテキスト要求を送信し（ステップｈ）、それゆえにＮＳＡＰＩ値がすでにＳＧＳＮとフェムトとの間で使用されているというような問題が存在する。フェムトは、この問題を識別し（ステップｉ）、また第１のトランザクション識別子を含んでおり、また再アクティブ化を要求する命令を含んでいる非アクティベートＰＤＰコンテキスト要求（Ｄｅａｃｔｉｖａｔｅ  ＰＤＰ  Ｃｏｎｔｅｘｔ  Ｒｅｑｕｅｓｔ）を送信すること（ステップｊ）により応答する。ユーザ端末は、５というＮＳＡＰＩを用いてＰＤＰコンテキストを非アクティブにすること、および非アクティベートＰＤＰコンテキスト受入メッセージをフェムトに対して送信すること（ステップｋ）により応答する。次いでフェムトは、第１のトランザクション識別子を含んでいる非アクティベートＰＤＰコンテキスト要求をＳＧＳＮに対して送信し（ステップｌ）、このＳＧＳＮは、非アクティベートＰＤＰコンテキスト受入メッセージを用いて応答する（ステップｍ）。
【００５５】
次いで、第２の要求されたＰＤＰコンテキストは、フェムトが、アクティベートＰＤＰコンテキスト要求をＳＧＳＮに対して送信すること（ステップｏ）によりアクティブにされる。この要求は、第２のアクセス・ポイント名および第２のトランザクション識別子と一緒に、１３というＮＳＡＰＩ値（これは、ユーザ装置によって選択される値１５からフェムトによって変換されている）を含んでいる。その後に、フェムトは、ＩＭＳＩと、トランザクション識別子とを記憶し、またその後にユーザ端末への／からの１５というＮＳＡＰＩ値をＳＧＳＮへの／からのＮＳＡＰＩ値１３へと変換する（ステップｐ）。ＳＧＳＮは、アクティベートＰＤＰコンテキスト要求受入れを用いて応答し（ステップｑ）、フェムトは、このアクティベートＰＤＰコンテキスト要求受入れを受信し、またユーザ端末へと転送する（ステップｒ）。
【００５６】
次いで、フェムトは、元のＰＤＰコンテキストを再びアクティブにする準備ができており、ここでユーザ端末とフェムトとの間のＮＳＡＰＩは、５であるが、フェムトとＳＧＳＮとの間で使用すべき異なる選択された変換済みのＮＳＡＰＩ値を有する。具体的には、ユーザ端末は、５というＮＳＡＰＩ値、および第１のアクセス・ポイント名、ならびに第１のトランザクション識別子（ＴＩ）を含むアクティベートＰＤＰコンテキスト要求をフェムトに対して送信する（ステップｓ）。フェムトは、ＩＭＳＩとＴＩとを記憶し、またこの例においては、ＮＳＡＰＩを５から１４へと変換し（ステップｔ）、またその修正されたアクティベートＰＤＰコンテキスト要求をＳＧＳＮに対して転送する（ステップｕ）。ＳＧＳＮは、ＮＳＡＰＩ値、すなわち１４に等しい無線アクセス・ベアラ・アイデンティティ（ＲＡＢ  ＩＤ）を含む無線アクセス・ベアラ（ＲＡＢ）割当要求を用いて応答する（ステップｖ）。フェムトは、５という変換されたＮＳＡＰＩ値に等しいＲＡＢ  ＩＤを含む無線ベアラ・セットアップ・メッセージを転送すること（ステップｗ）により応答する。次いで、ＳＧＳＮは、アクティベートＰＤＰコンテキスト受入メッセージをフェムトに対して送信し（ステップｘ）、フェムトは、このアクティベートＰＤＰコンテキスト受入メッセージをユーザ端末に対して転送する（ステップｙ）。
【００５７】
いくつかの変形
いくつかの代替的実施形態においては、変換がフェムトによって実行されるのではなくて、変換は、フェムト・ゲートウェイによって実行される。
【００５８】
いくつかの実施形態においては、フェムト・ネットワーク、より具体的には、フェムトまたはフェムト・ゲートウェイは、アクティベートＰＤＰコンテキスト要求からＡＰＮを決定することにより、ある種のアクセス・ポイント名（ＡＰＮ）を用いてアクティブにされるＰＤＰコンテキストの上だけで、ＮＳＡＰＩ変換を実行することができる。
【００５９】
いくつかの実施形態においては、ＮＳＡＰＩ変換は、フェムト・ゲートウェイを共有するフェムトのクラスタのうちのどれかによって実行されることが可能である。これは、フェムト・ゲートウェイによって指示され、またはフェムト間の再選択／ハンドオーバーの場合に、１つのフェムトが別のものに通知することにより指示されることが可能である。
【００６０】
一般
本発明は、その本質的な特性から逸脱することなしに、他の特定の形態で実施されることが可能である。説明された実施形態は、すべての点で例示的であり、また限定的でないものと考えられるべきである。本発明の範囲は、それゆえに、前述の説明によってではなく添付の特許請求の範囲によって示される。特許請求の範囲の意味と均等物の範囲との内部に含まれるすべての変更は、それらの範囲の内部に包含されるべきである。
【００６１】
当業者は、様々な上記で説明された方法のステップが、プログラムされたコンピュータによって実行され得ることを簡単に認識するであろう。一部の実施形態は、マシン読取り可能、またはコンピュータ読取り可能であり、また命令のマシン実行可能な、またはコンピュータ実行可能なプログラムを符号化するプログラム・ストレージ・デバイス、例えば、デジタル・データ・ストレージ媒体に関し、そこで前記命令は、前記上記の方法のステップの一部または全部を実行する。プログラム・ストレージ・デバイスは、例えば、デジタル・メモリ、磁気ディスクや磁気テープなどの磁気ストレージ媒体、ハード・ドライブ、または光学的読取り可能なデジタル・データ・ストレージ媒体とすることができる。いくつかの実施形態は、上記で説明された方法の前記ステップを実行するようにプログラムされるコンピュータを必要とする。
【図１】
0005450890.tif 000002
【図２】
0005450890.tif 000003
【図３】
0005450890.tif 000004
【図４】
0005450890.tif 000005
【図５】
0005450890.tif 000006
【図６】
0005450890.tif 000007
【図７】
0005450890.tif 000008
【図８】
0005450890.tif 000009